(57)【要約】【課題】  外付け回路を用いることなく発光素子のバイアス電流と駆動電流の両方を制御可能にして小型集積化、低コスト化を実現した光送信器を提供する。【解決手段】  入力される電気信号ＩＮを光信号に変換する発光素子ＬＤと、当該電気信号に基づいて発光素子ＬＤに通流する素子電流（ＩLD）を制御する駆動回路ＤＣとを備える。駆動回路ＤＣは、発光素子ＬＤに通流する駆動電流（Ｉmod ）を制御する駆動電流制御回路ＤＩＣと、発光素子ＬＤに通流するバイアス電流（Ｉbias）を制御するバイアス電流制御回路ＢＩＣとを備え、駆動電流制御回路ＤＩＣとバイアス電流制御回路ＢＩＣはそれぞれ複数の定電流源Ｉｄ１〜Ｉｄ４，Ｉｂ１〜Ｉｂ４と、これら定電流源を選択して発光素子に通流させるための選択手段Ｓｄ１〜Ｓｄ４，Ｓｂ１〜Ｓｂ４とで構成される。【選択図】  図２
2010087061.tif 000002
【特許請求の範囲】
【請求項１】
入力される電気信号を光信号に変換する発光素子と、前記電気信号に基づいて前記発光素子に通流する素子電流を制御する駆動回路とを備え、前記駆動回路は、前記発光素子に通流する駆動電流を制御する駆動電流制御回路と、前記発光素子に通流するバイアス電流を制御するバイアス電流制御回路とを備え、前記駆動電流制御回路とバイアス電流制御回路はそれぞれ複数の定電流源と、これら定電流源を選択して前記発光素子に通流させるための選択手段とで構成されていることを特徴とする光送信器。
【請求項２】
前記駆動回路は、入力される電気信号を増幅する増幅回路と、前記増幅回路の相反する出力に基づいて差動増幅動作を行う差動増幅回路とを備え、差動増幅回路を構成する素子対の一方に前記発光素子とバイアス電流制御回路が接続され、素子対に共通に駆動電流制御回路が接続された構成であることを特徴とする請求項１に記載の光送信器。
【請求項３】
前記複数の定電流源は同じ電流値の定電流源、異なる電流値の定電流源、又は同じ電流値と異なる電流値の定電流源で構成されていることを特徴とする請求項１又は２に記載の光送信器。
【請求項４】
前記複数の定電流源は並列に接続され、前記選択手段は各定電流源をそれぞれ前記発光素子に接続させるためのスイッチで構成されていることを特徴とする請求項３に記載の光送信器。
【請求項５】
複数の発光素子と、各発光素子を発光させるための複数の駆動回路とを備え、前記駆動電流制御回路とバイアス電流制御回路は前記複数の駆動回路に共通に接続されていることを特徴とする請求項１ないし４のいずれかに記載の光送信器。
【請求項６】
前記複数の発光素子及び駆動回路は共に集積化されていることを特徴とする請求項５に記載の光送信器。
【請求項７】
前記選択手段を選択動作させるためのコントローラを備えることを特徴とする請求項１ないし６のいずれかに記載の光送信器。
【発明の詳細な説明】
【技術分野】
【０００１】
本発明は光通信において電気信号を光信号に変換する光送信器に関し、特に光通信装置の光インターフェースの中でも複数の光信号を扱う光インターコネクションに用いて好適な光送信器に関する。
【背景技術】
【０００２】
光通信装置における光インターフェースは、電気信号を光信号に変換して光ファイバに送り出す光送信器と、光ファイバを伝送してきた光信号を受信して電気信号に変換する光受信器とから構成される。近年では、この光インターフェースが扱う信号速度は高速化され、また光インターコネクション用途のように複数の信号を扱う入出力インターフェースを備えたものがある。例えば、１０００チャネル以上の信号を扱う入出力インターフェースが構築されることがあり、このように光インターフェースで扱う信号数が大規模となると、入出力インターフェースは高速な安定動作を保ちつつ、小型化、低電力化することが要求されることになる。
【０００３】
光インターフェースにおける光送信器は、入力された電気信号に基づいて発光素子を駆動し、発光素子で発光される光信号の発光出力を制御する。この光信号は光ファイバを伝送され、光受信器では受信した光信号を再び電気信号に変換する。この光送信器のように電気信号に基づいて例えばレーザダイオード等からなる発光素子の発光出力を制御する場合には、発光素子を通流する駆動電流を制御する。例えば、特許文献１は測距装置の投光部に関する技術であるが、発光素子を通流する駆動電流を制御することにより発光素子の発光出力を制御している。特許文献１ではこの駆動電流を制御するために複数の定電流源を選択的に接続する技術が採用されている。また、特許文献２は画像形成装置に関する技術であるが、発光素子を通流する駆動電流を制御するために、複数の電流源を選択的に接続する技術が採用されている。
【０００４】
また、発光素子を発光して電子信号に対応した発光出力を得るためには発光素子に通流するバイアス電流を制御することも必要であり、特許文献３では画像形成装置の発光素子に通流するバイアス電流を制御している。このバイアス電流を制御するために複数の抵抗を選択して接続する技術が採用されている。これは、図５に発光素子、例えばレーザダイオードの代表的な素子電流に対する光出力の特性（Ｉ−Ｌ特性）を示しているが、この素子電流としてバイアス電流（Ｉbias）に駆動電流（Ｉmod
）が加えられて発光素子に通流されているので、駆動電流（Ｉmod ）の変化、ここではオン／オフ変化に応じて発光素子４０８に通流される素子電流（ＩLD）が変化して発光／消光が行われる。このときの発光出力は駆動電流の大きさにより決定される。また、バイアス電流（Ｉbias）を調整することにより、Ｉ−Ｌ特性の非線形特性部分を避け、光信号の波形歪みを防いでいる。
【特許文献１】特開２００６−２４２７２８号公報
【特許文献２】特開２００５−１０７４１号公報
【特許文献３】特開２０００−１８７３７４号公報
【発明の開示】
【発明が解決しようとする課題】
【０００５】
特許文献１〜３の技術では、発光素子の素子電流を制御する際には、駆動電流又はバイアス電流のいずれか一方のみを制御する構成となっている。すなわち、特許文献１，２では駆動電流のレベルを制御しているが、バイアス電流については特にレベルを制御する構成は備えていない。また、特許文献３ではバイアス電流を制御しているが駆動電流については特にレベルを制御する構成は備えていない。そのため、特許文献１，２においてバイアス電流を制御する場合、また特許文献３において駆動電流を制御する場合には、それぞれ外部から制御を行う必要がある。この種の電流を外部から制御する場合には、一般には装置内に可変電流源を設けておき、この可変電流源を外部から印加する電圧によって制御する。そして、外部から印加する電圧は、例えば可変抵抗器等の電子部品を用いて外付け回路を構成し、この外付け回路の抵抗値を調整することによって行っている。
【０００６】
前述したように、近年の光インターコネクションでは、構成によっては１０００チャネルを超える複数の信号を扱うこととなり、光送信器の駆動増幅回路や発光素子も複数必要となってくる。そのため、特許文献１，２，３の発光レベル制御技術を光インターコネクションに適用したときには、特許文献１，２の技術ではバイアス電流を外部から制御するための構成が、また特許文献３の技術では駆動電流を外部から制御するための構成がそれぞれ１０００チャネルに対応した数だけ必要になる。そのため、１０００チャネルの光送信器の場合、バイアス電流又は駆動電流を調整するために、１０００個の可変抵抗器を外付け回路として準備する必要があり、現実的に実現することが困難であった。このように従来の光送信器ではバイアス電流又は駆動電流の調整手段を外付けするために光送信器の回路規模が大きくならざるを得ず、小型集積化、低コスト化を実現する上での課題が生じている。
【０００７】
本発明の目的は、外付け回路を用いることなく発光素子のバイアス電流と駆動電流の両方を制御可能にして小型集積化、低コスト化を実現した光送信器を提供するものである。また、本発明の他の目的は多数チャネルの光送信器を構成した場合でも発光素子の駆動回路を簡略化して小型集積化、低コスト化を実現した光送信器を提供するものである。
【課題を解決するための手段】
【０００８】
本発明は、入力される電気信号を光信号に変換する発光素子と、当該電気信号に基づいて発光素子に通流する素子電流を制御する駆動回路とを備え、駆動回路は、発光素子に通流する駆動電流を制御する駆動電流制御回路と、発光素子に通流するバイアス電流を制御するバイアス電流制御回路とを備え、駆動電流制御回路とバイアス電流制御回路はそれぞれ複数の定電流源と、これら定電流源を選択して発光素子に通流させるための選択手段とで構成されていることを特徴とする。
【発明の効果】
【０００９】
本発明の光送信器によれば、発光素子に通流する駆動電流を制御するための駆動電流制御回路とバイアス電流制御回路をそれぞれ複数の定電流源とこれら定電流を選択する選択手段とで構成しているので、駆動電流とバイアス電流を制御するために外付け回路を省くことができ、光送信器の小型集積化、低コスト化を図ることが可能となる。また、定電流源を内装することにより、外付け回路における電圧の変動等の外部要因によって発光素子を通流する電流の変動が防止でき、安定した動作を実現することができる。
【発明を実施するための最良の形態】
【００１０】
本発明の好ましい形態として、入力される電気信号を増幅する増幅回路と、増幅回路の相反する出力に基づいて差動増幅動作を行う差動増幅回路とを備え、差動増幅回路を構成する素子対の一方に発光素子とバイアス電流制御回路が接続され、素子対に共通に駆動電流制御回路が接続された構成であるので、発光素子にバイアス電流を通流した状態で発光素子に駆動電流を通流することができ、バイアス電流と駆動電流とを重合した素子電流により発光素子を発光制御することが可能になる。
【００１１】
本発明の好ましい他の形態として、複数の定電流源は同じ電流値の定電流源、異なる電流値の定電流源、又は同じ電流値と異なる電流値の定電流源で構成されているので駆動電流とバイアス電流を任意の電流値に制御することができる。また、複数の定電流源は並列に接続され、選択手段は各定電流源をそれぞれ発光素子に接続させるためのスイッチで構成されているので、スイッチをオン／オフ制御するだけで電流制御が可能になる。
【００１２】
本発明の他の好ましい形態として、複数の発光素子と、各発光素子を発光させるための複数の駆動回路とを備えた光送信器を構成した場合に、駆動電流制御回路とバイアス電流制御回路を複数の駆動回路に共通に接続することにより、１つの駆動電流制御回路とバイアス電流制御回路とで複数の発光素子の発光制御が可能になり、光送信器の小型化、低コスト化をさらに進めることができる。特に、複数の定電流源は複数の発光素子及び駆動回路と共に集積化することにより、複数の発光素子の特性が均一化されるので１つの駆動電流制御回路とバイアス電流制御回路でも複数の発光素子の発光出力を適正に制御することが可能になる。
【実施例１】
【００１３】
以下、本発明の実施例１を説明する。図１は本発明の光送信器ＯＴｘが適用される光インターフェースの概念構成図であり、光送信器ＯＴｘは入力される電気信号ＩＮを光信号に変換する発光素子ＬＤと、この発光素子ＬＤに通流する素子電流を制御して発光素子の発光出力を制御する駆動回路ＤＣとを備えている。この駆動回路ＤＣは、発光素子ＬＤのバイアス電流を制御するバイアス電流制御回路ＢＩＣと、発光素子ＬＤの駆動電流を調整する駆動電流制御回路ＤＩＣとを有している。前記光送信器ＯＴｘで生成された光信号は光伝送路を構成する光ファイバＯＦに入力され、この光ファイバＯＦを伝送されて光受信器ＯＲｘで受信される。光受信器ＯＲｘは受信した光信号を電気信号に変換して出力信号ＯＵＴとして出力する。
【００１４】
図２は前記光送信器ＯＴｘの回路図である。発光素子ＬＤはここではレーザダイオードで構成されており、駆動回路ＤＣはこのレーザダイオードＬＤに通流する電流を制御する。駆動回路ＤＣは、入力された電気信号ＩＮを増幅するための増幅回路ＡＭＰと、一対のトランジスタＴｒ１，Ｔｒ２で構成される差動増幅回路ＤＡＭＰと、前述したバイアス電流（Ｉbias) を制御するバイアス電流制御回路ＢＩＣと、駆動電流（Ｉmod ）を制御する駆動電流制御回路ＤＩＣとで構成されている。そして、差動増幅回路ＤＡＭＰでは、各トランジスタＴｒ１，Ｔｒ２のベースは前記増幅回路ＡＭＰの非反転、反転の各出力に接続され、エミッタは駆動電流制御回路ＤＩＣに接続される。一方のトランジスタＴｒ１のコレクタには負荷抵抗Ｒが接続され、他方のトランジスタＴｒ２のコレクタに前記レーザダイオードＬＤが接続される。そして、このレーザダイオードＬＤとコレクタとの接続点にインダクタＬを含むバイアス電流制御回路ＢＩＣが接続される。
【００１５】
前記バイアス電流制御回路ＢＩＣは、複数個、ここでは４個の定電流源Ｉｂ１，Ｉｂ２，Ｉｂ３，Ｉｂ４を並列接続しており、各定電流源にそれぞれ接続した選択スイッチＳｂ１，Ｓｂ２，Ｓｂ３，Ｓｂ４をオンしたときに当該定電流源の電流をレーザダイオードＬＤに通流させるようになっている。同様に前記駆動電流制御回路ＤＩＣは、４個の定電流源Ｉｄ１，Ｉｄ２，Ｉｄ３，Ｉｄ４を並列接続しており、各定電流源にそれぞれ接続した選択スイッチＳｄ１，Ｓｄ２，Ｓｄ３，Ｓｄ４をオンしたときに当該定電流源における電流をレーザダイオードＬＤに通流させるようになっている。これらバイアス電流制御回路ＢＩＣと駆動電流制御回路ＤＩＣの各選択スイッチＳｂ１〜Ｓｂ４，Ｓｄ１〜Ｓｄ４はコントローラＣＮＴによってそれぞれ個別にオン／オフ動作するように構成されている。
【００１６】
この構成の光送信器ＯＴｘでは、入力された電気信号ＩＮは増幅回路ＡＭＰで目的の振幅まで増幅される。増幅された非反転及び反転の各信号出力は差動増幅回路ＤＡＭＰの各トランジスタＴｒ１，Ｔｒ２に入力される。これにより電気信号ＩＮに応じてトランジスタ対Ｔｒ１，Ｔｒ２が差動動作を繰り返し、レーザダイオードＬＤに流れる駆動電流（Ｉmod ）をオン／オフする。この駆動電流（Ｉmod ）のレベルは駆動電流制御回路ＤＩＣによって決定される。すなわち、コントローラＣＮＴによって選択スイッチＳｄ１〜Ｓｄ４を個別にオン／オフ制御して４つの定電流源Ｉｄ１〜Ｉｄ２の少なくとも１つを選択することにより、選択された定電流源の電流、あるいは複数の定電流源の電流を加算した電流を駆動電流とする。例えば、図３に選択スイッチＳｄ１〜Ｓｄ４のオン／オフ状態とそのときの電流値との関係を示すように、４つの定電流源Ｉｄ１，Ｉｄ２，Ｉｄ３，Ｉｄ４の各電流値を１，２，４，８ｍＡとすると、各選択スイッチを個別にオンしたときには１ｍＡ，２ｍＡ，４ｍＡ，８ｍＡの駆動電流となり、２つの選択スイッチを同時にオンしたときには、１＋２＝３ｍＡ，１＋４＝５ｍＡ，２＋４＝６ｍＡ，１＋８＝９ｍＡ，４＋８＝１２ｍＡになり、３つの選択スイッチを同時にオンしたときには１＋２＋４＝７ｍＡ，１＋２＋８＝１１ｍＡ，１＋４＋８＝１３ｍＡ，２＋４＋８＝１４ｍＡになり、４つの選択スイッチを同時にオンしたときには１＋２＋４＋８＝１５ｍＡになる。このように、選択スイッチＳｄ１〜Ｓｄ４の組み合わせにより１〜１５ｍＡの間を１ｍＡ間隔で段階的に制御することが可能である。
【００１７】
同様にバイアス電流制御回路ＢＩＣにおいても、コントローラＣＮＴによって選択スイッチＳｂ１〜Ｓｂ４を個別にオン／オフ制御して４つの定電流Ｉｂ１〜Ｉｂ２を選択することにより、選択された定電流源の電流、あるいは複数の定電流源の各電流を加算することで段階的に制御した電流をバイアス電流（Ｉbias) とする。具体的な電流値は駆動電流の場合と同じであるので詳細については説明を省略する。そして、このように制御されたバイアス電流（Ｉbias) と駆動電流（Ｉmod ）が重畳されて素子電流（ＩLD）となり、レーザダイオードＬＤに通流され、レーザダイオードＬＤはこの素子電流（ＩLD）に応じた発光出力で発光される。なお、駆動電流制御回路ＤＩＣ及びバイアス電流制御回路ＢＩＣのそれぞれの定電流源の数や電流値は使用するレーザダイオードＬＤの特性等を考慮して適切な数や値に決めることが可能である。
【００１８】
このようにバイアス電流（Ｉbias）と駆動電流（Ｉmod ）の各レベルを制御することにより、図５に示したレーザダイオードのＩ−Ｌ特性から判るように、駆動電流のレベルを制御することで駆動電流（Ｉmod ）のオン時にレーザダイオードＬＤに通流される素子電流（ＩLD）が変化して発光出力が決定され、その上で駆動電流（Ｉmod ）のオン／オフ制御によって発光／消光が行われる。また、バイアス電流（Ｉbias）のレベルを制御することにより、レーザダイオードＬＤのＩ−Ｌ特性の非線形特性部分を避けることができ、光信号の波形歪みを防ぐことができる。
【００１９】
実施例１の光送信器ＯＴｘでは、駆動電流制御回路ＤＩＣとバイアス電流制御回路ＢＩＣはいずれも複数の定電流源Ｉｄ１〜Ｉｄ２，Ｉｂ１〜Ｉｂ２を選択的に接続して各電流レベルを制御する構成となっている。そのため、これら複数の定電流源を増幅回路ＡＭＰや差動増幅回路ＤＡＭＰと共に集積化（チップ化）することができ、その上で定電流源を切り替えるためのタップ（端子）のみ設け、それを選択する構成、例えばタップをオープンにしたり、グランドにしたりする構成を備えるのみで良い。さらに、この構成もトランジスタ等を利用した電子スイッチで構成することが可能である。これにより、駆動電流やバイアス電流を制御するために外部に可変抵抗器等の電子部品を配設する必要が無く、駆動回路ＤＣの小型集積化が可能になり、更には光送信器ＯＴｘの小型化、低コスト化が実現できる。また、定電流源を集積化することにより、外付け回路における電圧の変動等の外部要因によって駆動電流やバイアス電流の変動が防止でき、安定した動作を実現することができる。
【実施例２】
【００２０】
図４は本発明の実施例２の回路図であり、多チャネル（この例では３チャネル）の光インターコネクションに適用した例を示している。光送信器ＯＴｘ内には各チャネルに対応して３個のレーザダイオードＬＤ１，ＬＤ２，ＬＤ３が設けられており、各レーザダイオードにはそれぞれ図１に示したと同様な駆動回路ＤＣ１，ＤＣ２，ＤＣ３が設けられている。各レーザダイオードＬＤ１〜ＬＤ３は前記光ファイバＯＦに光学的に接続され、光多重方式の伝送が行われるようになっている。各駆動回路ＤＣ１〜ＤＣ３の構成はバイアス電流制御回路ＢＩＣと駆動電流制御回路ＤＩＣを除くと同じ構成であるので同一符号を付しているが、それぞれ増幅回路ＡＭＰ１〜ＡＭＰ３、差動増幅回路ＤＡＭＰ１〜ＤＡＭＰ３を備えている。そして、各差動増幅回路ＤＡＭＰ１〜ＤＡＭＰ３の駆動電流配線はそれぞれ共通接続された上で１つの駆動電流制御回路ＤＩＣに接続されている。また、同様に各差動増幅回路ＤＡＭＰ１〜ＤＡＭＰ３のバイアス電流配線はそれぞれ共通接続された上で１つのバイアス電流制御回路ＢＩＣに接続されている。前記駆動電流制御回路ＤＩＣは実施例１と同じ構成であり、４つの定電流源Ｉｄ１〜Ｉｄ４と、これらを選択して接続する選択スイッチＳｄ１〜Ｓｄ４とで構成される。同様にバイアス電流制御回路ＢＩＣも実施例１と同じ構成であり、４つの定電流源Ｉｂ１〜Ｉｂ４と、これらを選択して接続する選択スイッチＳｂ１〜Ｓｂ４とで構成される。
【００２１】
実施例２によれば、駆動電流制御回路ＤＩＣにおいてコントローラＣＮＴによって選択スイッチＳｄ１〜Ｓｄ４を個別にオン／オフ制御して４つの定電流Ｉｄ１〜Ｉｄ４を選択することにより、選択された定電流源の電流、あるいは複数の定電流源の各電流を加算した電流を駆動電流とする。同様にバイアス電流制御回路ＢＩＣにおいて選択スイッチＳｂ１〜Ｓｂ４を選択することによりバイアス電流を得る。これにより、３つのレーザダイオードＬＤ１〜ＬＤ３にはそれぞれ電流値が段階的に制御された駆動電流（Ｉmod ）とバイアス電流（Ｉbias）が重畳された素子電流（ＩLD）が通流され、各レーザダイオードＬＤ１〜ＬＤ３が発光することになる。このとき、小型集積化を図るために各駆動回路ＤＣ１〜ＤＣ３やレーザダイオードＬＤ１〜ＬＤ３は複数を１つにまとめて集積化することが多く、特にレーザダイオードＬＤ１〜ＬＤ３を１つのチップ上に集積した場合にはそれぞれの特性がほぼ同一となることが多い。このため各レーザダイオードＬＤ１〜ＬＤ３のバイアス電流（Ｉbias）や駆動電流（Ｉmod ）もほぼ同一の値に制御すれば、それぞれ同一の発光出力に制御することが可能になる。
【００２２】
さらに、実施例２では、複数のレーザダイオードＬＤ１〜ＬＤ３に対して駆動電流制御回路ＤＩＣとバイアス電流制御回路ＢＩＣをそれぞれ１つ設けるのみで良く、しかもこれら駆動電流制御回路ＤＩＣとバイアス電流制御回路ＢＩＣは実施例１と同様に駆動回路等との集積化が可能であり、外付け回路を必要としないので光送信器ＯＴｘの全体の小型化、低コスト化が実現できる。
【００２３】
実施例１，２においては、駆動電流制御回路とバイアス電流制御回路をそれぞれ４つの定電流源で構成しているが、この数に限定されるものではなく制御しようとする駆動電流やバイアス電流の値や制御精度に対応して任意の数で構成することができる。また、各定電流源の電流値は実施例１のように異なる電流値のもので構成するのではなく、同じ電流値のものだけで構成してもよく、あるいは異なる電流値のものや同じ電流値のものを混在させた構成としてもよい。
【００２４】
実施例２においては、３つの光送信器の例を示したがこれよりも多数の光送信器の場合でも本発明を同様に適用することができる。また、全ての光送信器に対して１つの駆動電流制御回路やバイアス電流制御回路を接続するのではなく、所定数の光送信器毎にグループ分けし、各グループにそれぞれ駆動電流制御回路やバイアス電流制御回路を割り当てて各電流の制御を行うように構成してもよい。
【００２５】
実施例１，２の駆動回路は、増幅回路と差動増幅回路を備える構成であるが、発光素子に駆動電流とバイアス電流を通流して発光を行ない、その際に駆動電流とバイアス電流を独立して制御することが可能な駆動回路であれば実施例の駆動回路に限定されるものではない。
【図面の簡単な説明】
【００２６】
【図１】本発明の光送信器を適用する光インターフェースの概念図である。
【図２】実施例１の光送信器の回路図である。
【図３】電流制御における選択スイッチと電流のマトリクス図である。
【図４】実施例２の光送信器の回路図である。
【図５】発光素子の動作を説明するＩ−Ｌ特性図である。
【符号の説明】
【００２７】
ＯＴｘ  光送信器
ＯＲｘ  光受信器
ＯＦ  光ファイバ
ＬＤ，ＬＤ１〜ＬＤ３  レーザダイオード（発光素子）
ＤＣ，ＤＣ１〜ＤＣ３  駆動回路
ＤＩＣ  駆動電流制御回路
ＢＩＣ  バイアス電流制御回路
Ｉｂ１〜Ｉｂ４  定電流源（バイアス電流）
Ｉｄ１〜Ｉｄ４  定電流源（駆動電流）
Ｓｂ１〜Ｓｂ４  選択スイッチ（バイアス電流）
Ｓｄ１〜Ｓｄ４  選択スイッチ（駆動電流）
ＡＭＰ，ＡＭＰ１〜ＡＭＰ３  増幅回路
ＤＡＭＰ，ＤＡＭＰ１〜ＤＡＭＰ３  差動増幅回路
ＩＮ，ＩＮ１〜ＩＮ３  電気信号（入力信号）
ＯＵＴ  電気信号（出力信号）
Ｉbias  バイアス電流
Ｉmod   駆動電流
ＩLD  素子電流
【図１】
2010087061.tif 000003
【図２】
2010087061.tif 000004
【図３】
2010087061.tif 000005
【図４】
2010087061.tif 000006
【図５】
2010087061.tif 000007